(57)【要約】【課題】扱いの困難な野菜類を熟練することなく、袋体内に収納して、袋体の口元を結束できる上、作業ミスをなくして作業能率を高め、かつ、見映えを向上させて商品価値を高めることができる安価な野菜類の袋詰め結束装置を得ることを目的とする。【解決手段】一定量の野菜類が袋体内に収納された袋体の口元を結束する袋詰め結束装置であって、袋体内に収納された野菜類を搬送するバケット部１５と袋体の口元を徐々に絞り込むガイド部７と、前記袋体４５の口元を挟持して、正逆転方向に回動し袋体を結束装置等３５に案内するアーム部２０とからなることを特徴とする野菜類の袋詰め結束装置を基本構成とする。【選択図】図１
2005280741.tif 000002
【特許請求の範囲】
【請求項１】
一定量の野菜類が収納された袋体の口元を結束する袋詰め結束装置であって、野菜類が収納された袋体を搬送するバケット部と袋体の口元を徐々に絞り込むガイド部と、前記袋体の口元を挟持して、正逆転方向に回動し袋体を結束装置等に案内するアーム部とからなることを特徴とする野菜類の袋詰め結束装置。
【請求項２】
前記アーム部が回動する回転半径の軌道近傍に袋体を結束装置等に案内するブラシ送り機構を備えたことを特徴とする請求項１に記載の野菜類の袋詰め結束装置。
【請求項３】
前記アーム部の先端近傍に切断された袋体を吸引除去する袋体吸引装置を備えたことを特徴とする請求項１又は２に記載の野菜類の袋詰め結束装置。
【発明の詳細な説明】
【技術分野】
【０００１】
本発明はナスとかきゅうり等の野菜類をポリエチレン等の袋体内に収納したあと、袋体の口元を確実にかつ、効率良く結束することができる新規な野菜類の袋詰め結束装置に関する。
【背景技術】
【０００２】
従来からナスとかきゅうり等は袋体内に収納され、その袋体の口元は結束された状態で販売に供されているのが通例である。通常これらの野菜類を袋体内に収納してから結束するまでの一連動作を行なう装置は広く普及しておらず、作業者の手作業により野菜類を袋体内に収納してから、クリップ結束装置あるいはテープ結束装置（以下結束装置等）に作業者が直接通過させて袋体の口元を結束し、袋体の結束部から上の余分を切断して出荷、あるいは店頭販売に供しているのが一般的である。
【０００３】
袋詰め結束装置の例として特許文献１には、両側の上側に対向する二枚と下側に対向する二枚の挟み爪が閉じたときに上下がすれ違って、袋体の絞り込みを行ない結束装置を通過させて結束具を取付ける袋の結束方法の構造例が記載されている。更に特許文献２には、Ｖ型の開口をもつ絞り板を上下に有する一対の絞り爪と各絞り爪を水平面内で移動させる駆動手段を備え、内容物が充填された包装袋の結束部の上下位置を絞り板で左右から絞ると同時に握持し、さらに握持した状態で絞り爪を所定の経路に沿って移動させ得るようにした袋口結束包装機が記載されている。
特許文献３には、物品を収納した袋の上縁部を絞るように把持する袋把持手段を設け、周縁から回転中心部まで伸びた長溝を開口した回転板を回転自在に設け、袋把持手段で把持した袋の上部を回転板の長溝に挿入する挿入手段を設け、回転板の中心から離れた位置にロール状粘着テープを回転自在に取付け、又回転板の中心部に上記粘着テープの先端粘着面を溝方向に対持させるテープ押え部を設け、更に同テープ押え部と袋の間の粘着テープ部分を切断する切断手段を備えるようにした袋のテーピング装置が記載されている。
【０００４】
【特許文献１】特開平１０−１２９６０４号公報
【特許文献２】特開２００１−１７１６０４号公報
【特許文献３】特開平０６−２９３３１６号公報
【発明の開示】
【発明が解決しようとする課題】
【０００５】
前記したように、一定量の野菜類を作業者の手操作によって袋体内に収納して袋体の口元を結束する作業は、野菜類を袋体内に収納したあと、作業者が直接結束装置等に袋体の口元を通過させて結束を完了させる方法であるため、煩雑で熟練を要する作業が必要となり、作業能率を高めることが困難であるという難点がある。前記特許文献１、２、３に記載された袋詰め結束装置では、袋体結束部の上下をアームで握持した状態で結束装置を通過させるため、アームで握持された部分の隙間がそのまま結束部と野菜類の隙間となり、収納された野菜類が袋体内で整列できず、荷崩れを起こしてしまうという問題点が生じる。
【０００６】
特に従来の結束装置では、袋の口元を十分に絞らない状態で結束をしていたため結束部が緩んだり、価格が高価なため購入が困難であるという問題点があった。
【０００７】
そこで本発明はこのような従来の野菜類の袋詰め結束装置が有している各種の課題を解消して、袋体の口元を確実に結束して、結束部と野菜類の隙間をなくすことができ、見映えを向上させて商品価値を高めることができる安価な野菜類の袋詰め結束装置を得ることを目的とするものである。
【課題を解決するための手段】
【０００８】
本発明は上記目的を達成するために、一定量の野菜類が収納された袋体の口元を結束するための袋詰め結束装置において、前記野菜類が収納された袋体を搬送するバケット部と、袋体の口元を徐々に絞り込むガイド部と、前記袋体の口元を挟持して、正逆転方向に回動するアーム部を有する野菜類の袋詰め結束装置を基本として提供する。また、一定量の野菜類が収納された袋体の口元を結束するための袋詰め結束装置であって、前記野菜類が収納された袋体を搬送するバケット部と、袋体の口元を徐々に絞り込むガイド部と、前記袋体の口元を挟持して、正逆転方向に回動するアーム部とを有し、前記アーム部が回動する回転半径の軌道近傍に袋体を結束装置等に案内するブラシ送り機構を備えた野菜類の袋詰め結束装置を提供する。
【０００９】
そして、アーム部の先端近傍には切断された袋体を吸引除去する袋体吸引装置を備えている。
【発明の効果】
【００１０】
本発明によって得られた野菜類の袋詰め結束装置によれば、作業者が野菜類を袋詰め装置等によって袋体内に収納したあと、その袋体の口元を絞り込みながら、アーム部まで自動的に搬送し、アーム部により袋体を挟持して結束装置等に案内し、袋体の口元を結束してから排出することができる。このとき、アーム部は袋体の上面のみを挟持しているため結束した際には結束部と野菜類との隙間をなくすことができる。
【００１１】
また、結束装置で手を挟んだりするおそれが全くなく、高齢者や初心者であっても安心して使用することができる。
特に本発明によれば、従来の手操作により袋体を直接結束装置等に通過させる作業が不要となり、作業能率を格段に高めることができるとともに、従来の自動結束機とは異なって結束部と野菜類との隙間がなく、確実な結束作業を遂行することができる。
【００１２】
従って本発明によれば、作業者が熟練を要することなく野菜類を袋体内に収納したあと袋体の口元を結束することができる。そして作業者が1人で作業することができ、作業能率を高めることができる安価な野菜類の袋詰め結束装置を得ることができる。
【発明を実施するための最良の形態】
【００１３】
以下本発明にかかる野菜類の袋詰め結束装置の最良の実施形態を図に基づいて説明する。図１は本発明にかかる野菜類の袋詰め結束装置の一例を示す側面図、図２は同平面図、図３は同正面図である。図１において８は枠材等で構成された架台であり、この架台８上に各構成部材が取付けられている。１１は架台８の上部を覆蓋する枠体であり両側にそれぞれ設けられている。バケット部１５に示す２はバケットコンベアであり、コロにベルトがエンドレスに回転自在に巻着されコンベア駆動モーターによって駆動される（図示略）。バケットコンベア２は回転軸（ａ）４を中心にして正面側（Ａ）と裏面側（Ｂ）を往復に回動する。９はバケットコンベア２上を搬送される袋体の位置決めをするガイドプレートであり、バケットコンベア２上で長手方向に自在に位置を調整できるようになっている。ガイドプレート９の下部中央には、起動センサ１０が取付けられている。３はバケットコンベア２を回動させるためのバケットコンベア用駆動モーターであり、このバケットコンベア用駆動モーター３の起動時に回転するギヤ(ａ)５がギヤ(ｂ)６に噛合している。７は野菜類が収納された袋体の上面を絞り込むためのガイド部であり、線材等で形成された１対のガイドワイヤ１３が架台８からアーム部２０下部まで延設され固定されており、図２、図３に示すように架台８からアーム部２０下部に向かうに従い徐々に狭くなるように形成されている。ガイドワイヤ１３はその側面視（図１）において、回転軸（ａ）４と略同芯の半径にて形成されている。図３に示すようにこのガイドワイヤ１３上には、略三角形状のフクロガイド１４がガイドワイヤ１３上を摺動可能に挟着されている。図２において２０はアーム部でありそれぞれア−ム（ａ）２１、アーム（ｂ）２２、アーム（ｃ）２３により構成されており、アーム用駆動モーターにリンクとカム（図示略）を介して連結されている。常時はバネ（ａ）２５、バネ（ｂ）２６によって互いに引き合う方向に付勢されている状態となっている。図３において５０はブラシ送り機構であり、図４、５に示すようにブラケット５５に配置された５１の回転ブラシ用駆動モーターと回転ブラシ用駆動モーター５１に軸着されたプーリー５２と回転ベルト５４を介して回転ブラシ５３を回転させている。このブラシ送り機構５０は、アーム部２０の下側で結束装置等の近傍に設置し、常時回転させていることが望ましい。
３０は切断された袋体の余分を吸引し、除去するためのブロワー等の袋体吸引装置である。アーム部２０の先端近傍に設置して使用する。結束装置等３５は図１における裏面側（Ｂ）に固定して使用する。
【００１４】
以下に本発明にかかる野菜類の袋詰め結束装置の基本的使用方法を野菜としてナスを用いた場合を例として説明する。
図６に示すように袋詰め装置等により袋体４５内に収納されたナス４６がバケットコンベア２上に搬送されると、ガイドプレート９に到達して、起動センサ１０を押動することによりバケットコンベア用駆動モーター３が起動し、ギヤ（ａ）５が回転してバケットコンベア２に軸着されたギヤ（ｂ）６に伝達され、バケットコンベア２が回転軸(ａ)４を中心に裏面側（Ｂ）に向って回動を開始する。同時に、図７に示すようにバケットコンベア２の回転軸(a)４と略同芯の半径で延設されているガイドワイヤ１３上を摺動可能に挟着されたフクロガイド１４がガイドワイヤ１３上を摺動して袋体４５の口元を徐々に絞り込むようになっている。図８に示すようにバケットコンベア２がアーム部２０近傍に到達するとバケットコンベア２の動作が停止して、アーム部２０が動作を開始する。このとき、アーム（ａ）２１、アーム（ｂ）２２、アーム（ｃ）２３によってフクロガイド１４により絞られた袋体４５の口元を挟持して回転軸(ｂ)２４を中心に回動する。アーム部２０の軌道上の近傍には、ブラシ送り機構５０があり、常時回転している回転ブラシ５３によってアーム部２０で挟持された袋体４５を円滑に結束装置等３５に導入するようになっている。このときアーム部２０は袋体４５の上面１箇所を挟持する状態となっている。アーム部２０が裏面側（Ｂ）に回動して結束装置等３５を通過させることによって袋体４５の結束を完了させ、結束された袋体４５を結束装置等３５の下部に落下することで結束作業が終了する。結束と同時に袋体４５の余分を切断した場合は、アーム部２０が切断された袋体を挟持した状態で正面側（Ａ）に回動する。このアーム部２０が回動する途中で袋体吸引装置３０にて切断された袋体をアーム部２０から吸引除去して作業を終了する。
【００１５】
次に、本発明にかかる野菜類の袋詰め結束装置と野菜類袋詰め装置を連結して使用する実施形態を図９に基づいて説明する。図９において４０は野菜類の袋詰め装置であり、ナス４６を袋体４５内に収納するための装置である。４１は野菜類の袋詰め結束装置１と野菜類袋詰め装置４０を連結するパイプ材等で構成された土台であり、野菜類袋詰め装置４０をボルト等により締結固定している。４２は投入装置で作業者がナス４６を袋体４５内に挿入する際に使用する。４３は搬送コンベアであり、袋体４５に収納されたナス４６を野菜類の袋詰め結束装置１のバケットコンベア２まで移動搬送するように延設されている。ナス４６が投入装置４２を介して袋体４５内に挿入されると、ナス４６が収納された袋体４５が搬送コンベア４３上に載置される。このあとナス４６が収納された袋体４５が搬送コンベア４３からバケットコンベア２に向かい搬送され、バケットコンベア２に到達してから結束作業を遂行する。尚、野菜類の袋詰め結束装置１自体の構成と動作は前記した通りである。
【産業上の利用可能性】
【００１６】
以上詳細に説明したように、本発明では作業者が野菜類を袋体内に収納するだけで、袋体を自動的に結束装置まで搬送し、袋体の結束をしてから排出するため、作業者が直接結束装置を通過させて袋体の結束をする必要がなく、高齢者や初心者であっても安心して使用することができる。従って農家等においてナスとかきゅうり等の野菜類をポリエチレン等の袋体内に効率よく収納して結束し、商品化する利用分野において広く活用可能である。
【図面の簡単な説明】
【００１７】
【図１】本発明の野菜類の袋詰め結束装置を全体的に示す側面図。
【図２】図１の平面図。
【図３】図１の正面図。
【図４】ブラシ送り機構の構成を示す側面図。
【図５】図４の平面図。
【図６】ナス投入時の状態を示す側面図。
【図７】袋体の口元が絞られた状態を示す平面図。
【図８】ナス投入時の継続状態を示す側面図。
【図９】本発明にかかる野菜類の袋詰め結束装置の使用状態の例を示す側面図。
【符号の説明】
【００１８】
１…袋詰め結束装置
２…バケットコンベア
３…バケットコンベア用駆動モーター
４…回転軸（ａ）
５…ギヤ（ａ）
６…ギヤ（ｂ）
７…ガイド部
８…架台
９…ガイドプレート
１０…起動センサ
１１…枠体
１３…ガイドワイヤ
１４…フクロガイド
１５…バケット部
２０…アーム部
２１…アーム（ａ）
２２…アーム（ｂ）
２３…アーム（ｃ）
２４…回転軸（ｂ）
２５…バネ（ａ）
２６…バネ（ｂ）
３０…袋体吸引装置
３５…結束装置等
４０…野菜類の袋詰め装置
４１…土台
４２…投入装置
４３…搬送コンベア
４５…袋体
４６…ナス
５０…ブラシ送り機構
５１…回転ブラシ用駆動モーター
５２…プーリー
５３…回転ブラシ
５４…回転ベルト
５５…ブラケット
【図１】
2005280741.tif 000003
【図２】
2005280741.tif 000004
【図３】
2005280741.tif 000005
【図４】
2005280741.tif 000006
【図５】
2005280741.tif 000007
【図６】
2005280741.tif 000008
【図７】
2005280741.tif 000009
【図８】
2005280741.tif 000010
【図９】
2005280741.tif 000011